(57)【要約】      （修正有）【課題】包装を解いた際に見苦しくないとともに、食品の一部を取り出した残部をそのまま容易に収容しておくことを可能とする食品包装材を提供する。【解決手段】ともに一対の長さ方向辺２２及び幅方向辺２４を有し長方形状をなすフィルム２０によって形成され、おもて面部３０Ａと裏面部３０Ｂと一対のマチ部４０を有する。フィルム２０の一対の長さ方向辺２２の縁部及び近傍同士が重ね合わされて結合されて包装材１０の長さ方向に延びる重ね合わせ結合部３５がおもて面部３０Ａに形成され、フィルム２０の閉塞部形成縁部２４ａの近傍において閉塞結合部５０が形成されており、閉塞部形成縁部２４ａ及びその近傍において、おもて面部３０Ａのうちの重ね合わせ結合部３５の両サイドには、閉塞結合部５０に向かう一対の切れ目５５Ａが形成されている。【選択図】図２
0003200097.tif 000002
【実用新案登録請求の範囲】
【請求項１】
食品を包装する包装材であって、
当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムを用いて形成され、
前記フィルムの前記一対の長さ方向辺の縁部及び近傍同士が重ね合わされて結合されて当該包装材の長さ方向に延びる重ね合わせ結合部が形成され、
前記フィルムの前記一対の幅方向辺のうちの一である閉塞部形成縁部の近傍において、少なくとも前記重ね合わせ結合部及びその近傍が、当該包装材の開口を閉塞すべく当該包装材の他の部位に結合されて閉塞結合部が形成されており、
前記フィルムのうちの前記閉塞部形成縁部及びその近傍において、前記重ね合わせ結合部の両サイドには、前記閉塞部形成縁部から前記閉塞結合部に向かう一対の切れ目が形成されている、
食品包装材。
【請求項２】
食品を包装する包装材であって、
当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムによって形成され、
おもて面部と裏面部とを有し、
前記フィルムの前記一対の長さ方向辺の縁部及び近傍同士が重ね合わされて結合されて当該包装材の長さ方向に延びる重ね合わせ結合部が、前記おもて面部及び前記裏面部のうちの一方に形成され、
前記フィルムの前記一対の幅方向辺のうちの一である閉塞部形成縁部の近傍において、前記重ね合わせ結合部を含む前記おもて面部及び前記裏面部のうちの前記一方が、前記おもて面部及び前記裏面部のうちの他方に結合されて、閉塞結合部が形成されており、
前記フィルムのうちの前記閉塞部形成縁部及びその近傍において、前記おもて面部及び裏面部のうち前記一方のうちの前記重ね合わせ結合部の両サイドには、前記閉塞部形成縁部から前記閉塞結合部に向かう一対の切れ目が形成されている、
食品包装材。
【請求項３】
平面状の折り畳み状態と立体状の収容可能状態との間を変形可能であって、食品を包装する包装材であって、
当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムによって形成され、
おもて面部と裏面部と一対のマチ部を有し、
前記一対のマチ部は、前記おもて面部と前記裏面部との間において、当該包装材が前記折り畳み状態において当該包装材の内側方向に折り畳まれており、
前記フィルムの前記一対の長さ方向辺の縁部及び近傍同士が重ね合わされて結合されて当該包装材の長さ方向に延びる重ね合わせ結合部が、前記おもて面部及び前記裏面部のうちの一方に形成され、
前記フィルムの前記一対の幅方向辺のうちの一である閉塞部形成縁部の近傍において、前記重ね合わせ結合部を含む前記おもて面部及び前記裏面部のうちの前記一方が、前記おもて面部及び前記裏面部のうちの他方に結合されて、閉塞結合部が形成されており、
前記フィルムのうちの前記閉塞部形成縁部及びその近傍において、前記おもて面部及び裏面部のうち前記一方のうちの前記重ね合わせ結合部の両サイドには、前記閉塞部形成縁部から前記閉塞結合部に向かう一対の切れ目が形成されている、
食品包装材。
【請求項４】
請求項２又は請求項３のいずれかに記載の食品包装材であって、
前記おもて面部及び前記裏面部のうち前記一方ではない方の面において、前記一対の切れ目に対応する一対の他方切れ目が形成されている、
食品包装材。
【考案の詳細な説明】
【技術分野】
【０００１】
本考案は、食品を包装するための包装材に関するものである。
【背景技術】
【０００２】
菓子等の食品は、フィルムからなる食品包装材（以下、単に「包装材」ともいう）によって包装された状態（さらに紙製の包装材等に収容された状態を含む）で販売される場合が多い。その菓子等の食品（被包装物）が汚れることを防止するとともに、乾燥することを防止するためである。
【０００３】
例えば、特に、ロールケーキや羊羹等の長尺状の菓子（食品）については、次のような形状の包装材が使用される。
その包装材は、長方形状のフィルムの対向する一対の両辺（正確にはその近傍を含む）同士が接着されて形成された筒状をなしているとともに、その２つの開口のうちの一方が塞がれて（すなわち、閉塞部が形成されて）形成されている。
こうして、その包装材は、一方に閉塞部を有し他方に開口部を有する筒状をしている。
【０００４】
そして、その開口部を通してその包装材に食品が収容された状態で、その開口部が塞がれる。このようにして、その食品が包装材によって包装され保護される。
【０００５】
ところで、包装材によって包装された食品（その一部又は全部）をその包装材から取り出す際には、その包装材の一部を切裂して、その包装を解く必要がある。
そのために、従来、包装材に、当該包装材の長さ方向に延びる小さな切れ目が形成されている場合がある。すなわち、使用者は、その切れ目に基づいて、その切れ目を延長させるようにして切裂線を形成し、その包装材を切裂させるのである。
【０００６】
しかしながら、上述のように使用者が包装材を切裂させようとする際には、次のような問題がある。
すなわち、上述のように切裂させる場合は、その切裂線は、その包装材のうち当該切れ目が属する相対向する面の両方において、一対をなして延びることとなる。
例えば、包装材がおもて面と裏面を有し、両者が結合されて形成された結合部又はその近傍である当該包装材の縁部に切れ目が形成されている場合は、おもて面と裏面の双方に切裂線が延びることとなる。
このため、視覚的に見苦しいのみならず、食品の一部を取り出してその残部をそのまま収容しておく場合には、相対向する面（その各切裂線）の両方を塞いで包装材を閉塞する必要があって、その作業は煩雑である。
【０００７】
なお、本考案に関連する先行技術として、特許文献１に記載されているものがある。
【先行技術文献】
【特許文献】
【０００８】
【特許文献１】特開２０１３−０３９９３４号公報
【考案の概要】
【考案が解決しようとする課題】
【０００９】
本考案は、包装を解いた際に視覚的に見苦しくないとともに、食品の一部を取り出してその残部をそのまま収容しておくことが容易な包装材を提供することを課題とする。
【課題を解決するための手段】
【００１０】
この課題を解決するために、請求項１に係る考案は、食品を包装する包装材であって、当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムを用いて形成され、前記フィルムの前記一対の長さ方向辺の縁部及び近傍同士が重ね合わされて結合されて当該包装材の長さ方向に延びる重ね合わせ結合部が形成され、前記フィルムの前記一対の幅方向辺のうちの一である閉塞部形成縁部の近傍において、少なくとも前記重ね合わせ結合部及びその近傍が、当該包装材の開口を閉塞すべく当該包装材の他の部位に結合されて閉塞結合部が形成されており、前記フィルムのうちの前記閉塞部形成縁部及びその近傍において、前記重ね合わせ結合部の両サイドには、前記閉塞部形成縁部から前記閉塞結合部に向かう一対の切れ目が形成されている、食品包装材である。
【００１１】
「…ほぼ長方形状をなすフィルムを用いて形成され、」には、当該フィルムのみによって形成される場合と、当該フィルム及び他のフィルム等によって形成される場合とが含まれる。
【００１２】
「前記閉塞部形成縁部から前記閉塞結合部に向かう一対の切れ目が形成されている、」には、一対の切れ目が閉塞結合部に至っているという態様に限らず、閉塞結合部までには至っていないという態様も含まれる。このことは、他の請求項に係る考案においても同様である。
【００１３】
この考案の食品包装材においては、フィルムの閉塞部形成縁部及びその近傍における一対の切れ目の間の部分（把持部）が把持され、その両切れ目が延長されるように当該フィルムが切裂される（その際、閉塞結合部において、重ね合わせ結合部が当該食品包装材の前記他の部位から剥離される）ことによって、重ね合わせ結合部の両サイドにおいて一対の切裂線が形成され、両者の間に切裂開口部が形成され、包装が解かれることとなる。
【００１４】
その際、この食品包装材においては、一対の切裂線は、包装材のうちの重ね合わせ結合部の両サイドにおいてのみ、相互に隣接して形成されることから、包装が解かれた状態でも、視覚的に見苦しくない。
また、食品の一部が取り出されて、その残部がそのまま収容される場合には、適宜、重ね合わせ結合部が元の位置（切裂開口部）に戻された状態で、包装材の他の部分又は他の包装材によって、その切裂線が覆われるようにされる。その際、その一対の切裂線は、包装材のうちの重ね合わせ結合部の両サイドにおいてのみ、相互に隣接して形成されていることから、その部分を覆うことは容易に行われ得る。
このようにして、この包装材では、食品の一部を取り出してその残部をそのまま収容しておくことが容易に可能である。
【００１５】
請求項２に係る考案は、食品を包装する包装材であって、当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムによって形成され、おもて面部と裏面部とを有し、前記フィルムの前記一対の長さ方向辺の縁部及び近傍同士が重ね合わされて結合されて当該包装材の長さ方向に延びる重ね合わせ結合部が、前記おもて面部及び前記裏面部のうちの一方に形成され、前記フィルムの前記一対の幅方向辺のうちの一である閉塞部形成縁部の近傍において、前記重ね合わせ結合部を含む前記おもて面部及び前記裏面部のうちの前記一方が、前記おもて面部及び前記裏面部のうちの他方に結合されて、閉塞結合部が形成されており、前記フィルムのうちの前記閉塞部形成縁部及びその近傍において、前記おもて面部及び裏面部のうち前記一方のうちの前記重ね合わせ結合部の両サイドには、前記閉塞部形成縁部から前記閉塞結合部に向かう一対の切れ目が形成されている、食品包装材である。
【００１６】
「…前記重ね合わせ結合部を含む前記おもて面部及び前記裏面部のうちの前記一方が、前記おもて面部及び前記裏面部のうちの他方に結合され、」には、前記一方が他方に対して直接的に結合されるという態様に限らず、他の部位を介して間接的に結合されるという態様も含まれる。
【００１７】
この考案の食品包装材においては、おもて面部及び裏面部のうちの一方（重ね合わせ結合部が形成されている面）において、フィルムの閉塞部形成縁部及びその近傍における一対の切れ目の間の部分（把持部）が把持され、その両切れ目が延長されるように当該フィルムが切裂されることによって、重ね合わせ結合部の両サイドにおいて一対の切裂線が形成され、両者の間に切裂開口部が形成され、包装が解かれることとなる。
【００１８】
その際、この食品包装材においては、一対の切裂線は、おもて面部及び裏面部のうちの一方（重ね合わせ結合部が形成されている面）において、当該重ね合わせ結合部の両サイドにおいてのみ、相互に隣接して形成されることから、包装が解かれた状態でも、視覚的に見苦しくない。
また、食品の一部が取り出されて、その残部がそのまま収容される場合には、適宜、重ね合わせ結合部が元の位置（切裂開口部）に戻された状態で、包装材の他の部分又は他の包装材によって、その切裂線が覆われるようにされる。その際、その一対の切裂線は、おもて面部及び裏面部のうちの一方（重ね合わせ結合部が形成されている面）において、その重ね合わせ結合部の両サイドにおいてのみ、相互に隣接して形成されていることから、その部分を覆うことは容易に行われ得る。
このようにして、この包装材では、食品の一部を取り出してその残部をそのまま収容しておくことが容易に可能である。
【００１９】
請求項３に係る考案は、平面状の折り畳み状態と立体状の収容可能状態との間を変形可能であって、食品を包装する包装材であって、当該包装材の長さ方向に対応する方向に延びる一対の長さ方向辺と、それに垂直で当該包装材の幅方向に対応する方向に延びる一対の幅方向辺を有し、少なくともほぼ長方形状をなすフィルムによって形成され、おもて面部と裏面部と一対のマチ部を有し、前記一対のマチ部は、前記おもて面部と前記裏面部との間において、当該包装材が前記折り畳み状態において当該包装材の内側方向に折り畳まれており、前記フィルムの前記一対の長さ方向辺の縁部及び近傍同士が重ね合わされて結合されて当該包装材の長さ方向に延びる重ね合わせ結合部が、前記おもて面部及び前記裏面部のうちの一方に形成され、前記フィルムの前記一対の幅方向辺のうちの一である閉塞部形成縁部の近傍において、前記重ね合わせ結合部を含む前記おもて面部及び前記裏面部のうちの前記一方が、前記おもて面部及び前記裏面部のうちの他方に結合されて、閉塞結合部が形成されており、前記フィルムのうちの前記閉塞部形成縁部及びその近傍において、前記おもて面部及び裏面部のうち前記一方のうちの前記重ね合わせ結合部の両サイドには、前記閉塞部形成縁部から前記閉塞結合部に向かう一対の切れ目が形成されている、食品包装材である。
【００２０】
「…前記重ね合わせ結合部を含む前記おもて面部及び前記裏面部のうちの前記一方が、前記おもて面部及び前記裏面部のうちの他方に結合され、」には、前記一方が他方に対して直接的に結合されるという態様に限らず、マチ部を介して間接的に結合されるという態様も含まれる。
【００２１】
この考案の食品包装材は、請求項２に係る考案の食品包装材と同様に使用され、同様の作用効果が得られる。
また、この考案の食品包装材においては、おもて面と裏面との間に一対のマチ部があるため、食品をより容易に収容することができる。
【００２２】
請求項４に係る考案は、請求項２又は請求項３のいずれかに係る考案の食品包装材であって、前記おもて面部及び前記裏面部のうち前記一方ではない方の面において、前記一対の切れ目に対応する一対の他方切れ目が形成されている、食品包装材である。
【００２３】
この考案の食品包装材は、請求項２又は請求項３に係る考案の食品包装材と同様に使用され、同様の作用効果が得られる。
さらに、この考案の食品包装材においては、おもて面部及び裏面部のうちの他方（重ね合わせ結合部が形成されている面ではない方の面）においても、一対の切れ目に対応する一対の他方切れ目が形成されている。そして、一対の切れ目の間の部分（把持部）と一対の他方切れ目の間の部分（把持部対応部）の両方を一旦おもて面部及び裏面部のうちの一方（重ね合わせ結合部が形成されている面）から離隔する方向にたわませようとすると、把持部対応部（１枚状のフィルム）が把持部（２枚のフィルムが重ね合わせられて結合されている）よりもたわみやすいことから、把持部と把持部対応部とが容易に離隔され、把持部のみを容易に把持することが可能となる。
こうして、前述したように包装を解くことが、より容易なものとなる。
【図面の簡単な説明】
【００２４】
【図１】本考案の実施例１の包装材の全体を示す斜視図である。
【図２】本考案の実施例１の包装材の要部を示す斜視図である。便宜的に、各要素が多少分離したように描かれている。
【図３】本考案の実施例１の包装材を仮想的に各要素ごとに切断して示す分解斜視図である。
【図４Ａ】本考案の実施例１の包装材の使用状態を示す斜視図である。包装が解かれていない状態を示す。
【図４Ｂ】本考案の実施例１の包装材の使用状態を示す斜視図である。包装が解かれた状態を示す。
【図５】本考案の実施例２の包装材を仮想的に各要素ごとに切断して示す分解斜視図である。
【考案を実施するための形態】
【００２５】
［実施例１］
次に、本考案の実施例１について、図１〜図４Ｂに基づいて説明する。
図１〜図３に示すように、この包装材（食品包装材）１０は、透明な長方形状をなすフィルム２０によって形成されている。すなわち、包装材１０は、１枚のフィルム２０が折り曲げられ、かつ、所定の部位において相互に接着されて形成されている。
包装材１０は、長尺状の筒状をなすとともに、その一方の側が閉塞され（閉塞結合部５０が形成され）、図１に示すように、他方の側が開口している（入出用開口部６０が形成されている）。
【００２６】
包装材１０は、おもて面部３０Ａ，裏面部３０Ｂ，一対のマチ部４０を有している。
包装材１０は、平面状の折り畳み状態（図１，図２）と、立体状の収容可能状態（図４Ａ）との間を変形可能である。
折り畳み状態とは、図１及び図２に示すように、一対のマチ部４０が包装材１０の内側方向に折り曲げられた状態である。収容可能状態とは、図４Ａに示すように、一対のマチ部４０の大半の部分がおもて面部３０Ａ及び裏面部３０Ｂとほぼ垂直のほぼ平面状の状態である。
以下において、包装材１０については、折り畳み状態を中心に説明する。
【００２７】
図１〜図３に示すように、フィルム２０は、一対の長さ方向辺２２と、一対の幅方向辺２４を有している。
一対の長さ方向辺２２は相互に平行であり、包装材１０の長さ方向に対応している。
一対の幅方向辺２４は相互に平行であり、一対の長さ方向辺２２と垂直であり、包装材１０の幅方向に対応している。一対の幅方向辺２４のうち、一方が閉塞部形成縁部２４ａであり、他方が開口部形成縁部２４ｂ（図１）である。
【００２８】
フィルム２０の一対の長さ方向辺２２の縁部及び近傍同士が重ね合わされて結合されて、重ね合わせ結合部３５が形成されている。この結合については、溶着によるものであっても、接着剤によるものであってもよい。
重ね合わせ結合部３５は、包装材１０の長さ方向に延びている。重ね合わせ結合部３５は、フィルム２０の両幅方向辺２４にわたって延びている。すなわち、重ね合わせ結合部３５は、閉塞部形成縁部２４ａから開口部形成縁部２４ｂ（図１）に至るまで延びている。
フィルム２０が重ね合わせ結合部３５において結合されていることによって、フィルム２０（包装材１０）は筒状とされている。
【００２９】
おもて面部３０Ａと裏面部３０Ｂとは一対をなしており、長方形状（帯状）をしている。
重ね合わせ結合部３５は、おもて面部３０Ａの幅方向における中央部分において、おもて面部３０Ａの長さ方向（包装材１０の長さ方向）に延びている。
【００３０】
一対のマチ部４０は、おもて面部３０Ａと裏面部３０Ｂとの間において形成されている。各マチ部４０は、おもて面部３０Ａと裏面部３０Ｂとの間において、包装材１０の内側方向に折り曲げられて形成されている。
図２及び図３に示すように、各マチ部４０は、おもて面側マチ部４２ａ及び裏面側マチ部４２ｂを有しており、両者の境界部分は折り返し部４４とされている。
【００３１】
各おもて面側マチ部４２ａは、おもて面部３０Ａのうちの各縁部から包装材１０の内側方向に向かって延びており、折り返し部４４にまで至っている。各裏面側マチ部４２ｂは、各折り返し部４４から包装材１０の外側方向に向かって延びており、裏面部３０Ｂのうちの各縁部にまで至っている。
各マチ部４０の折り返し部４４は、重ね合わせ結合部３５の各縁部に対応した位置において、包装材１０の長さ方向に延びている。
なお、図２，図４Ａ，図４Ｂにおいては、便宜状、各マチ部４０の折り返し部４４は、重ね合わせ結合部３５の各縁部よりも若干外側に描かれている。
【００３２】
フィルム２０の閉塞部形成縁部２４ａの近傍において、包装材１０の閉塞結合部５０が形成されている。閉塞結合部５０は、重ね合わせ結合部裏面部結合部５０ａ，一対のおもて面部おもて面側マチ部結合部５０ｂ１，一対の裏面部裏面側マチ部結合部５０ｂ２を有している。
【００３３】
重ね合わせ結合部３５と裏面部３０Ｂとは、重ね合わせ結合部裏面部結合部５０ａにおいて結合されている。おもて面部３０Ａと一対のおもて面側マチ部４２ａとは、一対のおもて面部おもて面側マチ部結合部５０ｂ１において結合されている。裏面部３０Ｂと一対の裏面側マチ部４２ｂとは、一対の裏面部裏面側マチ部結合部５０ｂ２において結合されている。これらの結合についても、溶着によるものであっても、接着剤によるものであってもよい。
折り畳み状態の包装材１０において、閉塞結合部５０（重ね合わせ結合部裏面部結合部５０ａ，一対のおもて面部おもて面側マチ部結合部５０ｂ１，一対の裏面部裏面側マチ部結合部５０ｂ２）は、包装材１０の幅方向に一直線状に延びている。
こうして、筒状の包装材１０の一方が閉塞されている。
【００３４】
一方、図１に示すように、フィルム２０の開口部形成縁部２４ｂの側においては包装材１０は閉塞されておらず、入出用開口部６０が形成されている。
【００３５】
図１〜図３に示すように、おもて面部３０Ａ（フィルム２０）のうち、閉塞部形成縁部２４ａ及びその近傍、すなわち、閉塞部形成縁部２４ａと閉塞結合部５０との間の部分において、重ね合わせ結合部３５の両サイド（その各縁部）には、一対の切れ目５５Ａが形成されている。
すなわち、一対の切れ目５５Ａは、おもて面部３０Ａのうちの重ね合わせ結合部３５の両サイドのうち、重ね合わせ結合部３５の左右の各縁部、すなわち、左右の各“きわ”の部分に形成され、閉塞部形成縁部２４ａから閉塞結合部５０にまで至っている。
また、同様に、図２及び図３に示すように、裏面部３０Ｂにも一対の裏面部切れ目５５Ｂが形成されている。
なお、図面においては、便宜状、各切れ目５５Ａ，各裏面部切れ目５５Ｂは、一定の細い幅があるように描かれたり、細長いＶ字状をなすべく徐々に幅が細くなるように描かれたりしているが、実際には幅を有さないものである。
【００３６】
図２及び図３に示すように、おもて面部３０Ａにおいて、一対の切れ目５５Ａによって、把持部５６Ａが形成されている。すなわち、把持部５６Ａは、おもて面部３０Ａ（フィルム２０）のうちの閉塞部形成縁部２４ａと閉塞結合部５０との間の部分における一対の切れ目５５Ａの間の部分である。
同様に、裏面部３０Ｂにおいて、一対の裏面部切れ目５５Ｂによって、把持部対応部５６Ｂが形成されている。
【００３７】
次に、この包装材１０の使用方法及び作用効果について説明する。
図１に示すように、この包装材１０の内部にロールケーキ等の長尺状の菓子Ｃを収容する場合は、次のようにされる。
菓子Ｃは、包装材１０の入出用開口部６０を通して、包装材１０の内部に入れられる。そして、入出用開口部６０を閉塞すべく、包装材１０のうちの入出用開口部６０の側の部分が裏面部３０Ｂの側に折り畳まれ、裏面部３０Ｂに対して接着テープ等を用いて接着される。
こうして、包装材１０の内部に菓子Ｃが収容され、菓子Ｃが包装材１０によって包装される。
【００３８】
図４Ａ及び図４Ｂに示すように、上述のように菓子Ｃが包装材１０によって包装された状態から、次のようして、菓子Ｃ（又はその一部）が包装材１０から取り出される。
【００３９】
まず、把持部５６Ａ（図４Ａ）が把持される。
その際、次のようにされることによって、把持部５６Ａが容易に把持される。
把持部５６Ａ及び把持部対応部５６Ｂが同時に下方（裏面部３０Ｂの側）にたわまされる。その際、把持部５６Ａがフィルム２０が２枚重ね状であり（重ね合わせ結合部３５である）、把持部対応部５６Ｂはフィルム２０が１枚状のため、把持部対応部５６Ｂの方が容易に下方にたわみ、把持部５６Ａと把持部対応部５６Ｂとが離隔しやすいこととなる。こうして、把持部５６Ａのみが容易に把持されるのである。
【００４０】
次に、図４Ａ→図４Ｂに示すように、把持部５６Ａが上方に持ち上げられ、一対の切れ目５５Ａに沿って、入出用開口部６０（図１）の方に向けて移動される。
こうして、一対の切れ目５５Ａが延長されるようにして、包装材１０のうちの重ね合わせ結合部３５の両サイドにおいて一対の切裂線５８が形成され、包装材１０が切裂される。なお、その初期には、重ね合わせ結合部裏面部結合部５０ａ（閉塞結合部５０）が裏面部３０Ｂ（重ね合わせ結合部裏面部結合部５０ａに該当する部分）から剥離される。
こうして、両切裂線５８の間に切裂開口部５９が形成される。
【００４１】
なお、その際、包装材１０のうちの重ね合わせ結合部３５は、おもて面部３０Ａのうちの他の大半の部分と異なり、２枚のフィルム２０が重ね合わされて結合されて形成されていて切裂されにくい。このため、切裂線５８が、重ね合わせ結合部３５に進入することが阻止（又は低減）され、切裂線５８は、重ね合わせ結合部３５の両サイド（重ね合わせ結合部３５の各縁部すなわち各“きわ”の部分、又はその近傍）に形成される。
【００４２】
このようにして包装材１０の包装が解かれた状態で、包装材１０（フィルム２０）が変形されつつ、切裂開口部５９を通して、内部の菓子Ｃの一部が取り出され、菓子Ｃの残部が包装材１０の内部に残される。
【００４３】
その際、一対の切裂線５８は、包装材１０のおもて面部３０Ａにおいてのみ、相互に隣接して形成され、裏面部３０Ｂは切裂されていない。
このため、まずは、この包装材１０では、包装が解かれた状態でも、視覚的に見苦しくない（美しい）。
【００４４】
また、菓子Ｃの残部をそのまま収容しておく場合には、適宜、重ね合わせ結合部３５が元の位置（切裂開口部５９）に戻されて、把持部５６Ａが把持部対応部５６Ｂと重ねられる。
そして、例えば、包装材１０のうちの閉塞結合部５０の側の部分が上方に持ち上げられて反転されて、包装材１０のおもて面の側に折り畳まれる。そして、接着テープ又は輪ゴム等が用いられて、その状態が維持される。こうして、容易に包装材１０が閉塞状態とされる。
また、例えば、他の物品（包装材）としてのフィルムによって一対の切裂線５８が覆われてもよい。
【００４５】
また、この包装材１０では、図３等に示すように、各マチ部４０の折り返し部４４が重ね合わせ結合部３５の各縁部に対応した位置にあり、収容可能状態において、各マチ部４０の幅（高さ）は、おもて面部３０Ａ及び裏面部３０Ｂの幅とほぼ同一である（正確には、重ね合わせ結合部３５の幅の半分の長さの分だけ短い）。
このため、高さと幅がほぼ同一の長さ（寸法）である断面を有する菓子Ｃ（図１，図４Ａ，図４Ｂ）等を収容するのに好適である。
【００４６】
［実施例２］
次に、本考案の実施例２について、図５に基づいて説明する。
この包装材１１０は、実施例１の包装材１０の変形例であり、実施例１の包装材１０と相違する点を中心に説明する。実施例１と共通する要素については、同一符号又は対応する符号（「１００」が加算された符号）を付すことによって、説明を適宜省略する。
【００４７】
この包装材１１０も、透明な長方形状をなすフィルム２０によって形成されている。
この包装材１１０も、おもて面部３０Ａ，裏面部３０Ｂ，一対のマチ部１４０を有している。
この包装材１１０においても、一対のマチ部１４０は、おもて面側マチ部１４２ａ及び裏面側マチ部１４２ｂを有しており、両者の境界部分は折り返し部１４４とされている。
この包装材１１０においては、一対のマチ部１４０の幅（収容可能状態における高さ）は、実施例１の包装材１０の一対のマチ部４０のそれよりも狭い。すなわち、各マチ部１４０における折り返し部１４４は、重ね合わせ結合部３５の各縁部に対応した位置よりも外側（各マチ部１４０とおもて面部３０Ａ／裏面部３０Ｂとの境界線の側）に位置している。
【００４８】
閉塞結合部５０は、フィルム２０の閉塞部形成縁部２４ａの近傍において、次のように形成されている。閉塞結合部５０は、重ね合わせ結合部裏面部結合部５０ａ，一対のおもて面部おもて面側マチ部結合部５０ｂ１，一対の裏面部裏面側マチ部結合部５０ｂ２，一対のおもて面部裏面部結合部５０ｃを有している。
【００４９】
すなわち、実施例１の包装材１０と同様に、この包装材１１０においても、重ね合わせ結合部３５と裏面部３０Ｂとは、重ね合わせ結合部裏面部結合部５０ａにおいて結合されている。おもて面部３０Ａと一対のおもて面側マチ部１４２ａとは、一対のおもて面部おもて面側マチ部結合部５０ｂ１において結合されている。裏面部３０Ｂと一対の裏面側マチ部１４２ｂとは、一対の裏面部裏面側マチ部結合部５０ｂ２において結合されている。
さらに、この包装材１１０においては、おもて面部３０Ａ（重ね合わせ結合部３５の両サイド）と裏面部３０Ｂとは、一対のおもて面部裏面部結合部５０ｃにおいて結合されている。
【００５０】
一対の切れ目５５Ａは、実施例１の包装材１０と同様に、おもて面部３０Ａのうちの重ね合わせ結合部３５の両サイドのうち、重ね合わせ結合部３５の左右の各縁部、すなわち、左右の各“きわ”の部分に形成されている。
ただし、実施例２の変形例として、一対の切れ目５５Ａは、おもて面部３０Ａのうちの重ね合わせ結合部３５の両サイドのうち、重ね合わせ結合部３５の左右の各縁部（左右の各“きわ”の部分）よりも多少外側の部分、すなわち、一対のおもて面部裏面部結合部５０ｃに対応する部分に形成されていてもよい。
【００５１】
この包装材１１０においても、実施例１の包装材１０と同様に使用され、同様の作用効果が得られる。
そして、この包装材１１０では、マチ部１４０の高さがおもて面部３０Ａ及び裏面部３０Ｂの幅よりも狭いため、羊羹等、扁平（高さよりも幅の方が長い）の断面を有する菓子等を収容するのに好適である。
【００５２】
なお、上記のものはあくまで本考案の数例の実施例にすぎず、当業者の知識に基づいて種々の変更を加えた態様で本考案を実施できることはもちろんである。
【００５３】
例えば、重ね合わせ結合部３５は、おもて面部３０Ａではなく、裏面部３０Ｂに形成されていてもよい。
また、包装材は、おもて面部３０Ａ及び裏面部３０Ｂのみを有し、マチ部（４０）を有していなくてもよい。
また、包装材は、おもて面部（３０Ａ）及び裏面部（３０Ｂ）の境界がなく、円筒状又は楕円筒状等をしていてもよい。
【符号の説明】
【００５４】
１０，１１０  包装材
２０  フィルム
２２  長さ方向辺
２４  幅方向辺
３０Ａ  おもて面部
３０Ｂ  裏面部
３５  重ね合わせ結合部
４０，１４０  マチ部
５０  閉塞結合部
５０ａ  重ね合わせ結合部裏面部結合部
５０ｂ１  おもて面部おもて面側マチ部結合部
５０ｂ２  裏面部裏面側マチ部結合部
５０ｃ  おもて面部裏面部結合部
５５Ａ  切れ目
５６Ａ  把持部
【図１】
0003200097.tif 000003
【図２】
0003200097.tif 000004
【図３】
0003200097.tif 000005
【図４Ａ】
0003200097.tif 000006
【図４Ｂ】
0003200097.tif 000007
【図５】
0003200097.tif 000008